(57)【要約】【課題】 両側のポケットの異なる内容物をそれぞれの突起の開口部から細口で見た目も美しい線を描いたトッピングが行える分配包装体提供する。【解決手段】表面の中央部に折り曲げ線を有する硬質材の蓋と、その蓋の表面に周縁部を固着され折曲線の両側にポケット部を形成する可撓性部材の容器体とからなり、それぞれのポケット部には蓋の折曲線上の開口となる突起部分へ通ずる連通部が交互に複数形成してある。【選択図】 図４
2013184716.tif 000002
【特許請求の範囲】
【請求項１】
表面の中央部に折り曲げ線を有する硬質材の蓋と、その蓋の表面に周縁部を固着され折曲線の両側にポケット部を形成する可撓性部材の容器体とからなり、それぞれのポケット部には蓋の折曲線上の開口となる突起部分へ通ずる連通部が交互に複数形成してあることを特徴とする分配包装体。
【請求項２】
蓋の大きさの長辺は４センチから８センチであり、短辺は３センチから５センチであって、ポケットの開口となる突起は各ポケット用に交互に２突起であり、合計４突起が形成されており、これらの突起は開口となるポケットの蓋を補強する帯状に連続してなる請求項１記載の分配包装体。
【請求項３】
蓋に周縁部を固着されて形成するポケット部は蓋の折曲による蓋間の接近角度（狭角）が少なくとも９０度以下で該ポケット部に押圧力が加わる構造としてあり、内容物がペースト状乃至粘稠物である請求項２記載の分配包装体。
【発明の詳細な説明】
【技術分野】
【０００１】
本発明は、調味料等の、ペースト状、或いは粘稠物の内容物を包装した分配包装体に関する。更に詳しくは、２種の内容物を別のポケット部に収容してある分配包装体であって、包装体に収容してある間は内容物同士が互いに混じり合うことがなく、この包装体を片手の指でつまんで操作することにより、それぞれの所望量を同時に容易に抽出することができる構造の分配包装体に関する。
【背景技術】
【０００２】
従来、指でつまんで操作することにより、内容物を簡単に抽出できる小型の分配包装体が、例えば、特開昭６３−１６２４６０号公報（特許文献１）に開示されている。これ等はいずれも、比較的堅固なシート状の蓋の裏面に可撓性を有する容器体の周縁部を固着してポケット部を形成し、このポケット部の中に内容物を封入すると共に、蓋の中央を通る軸線を、折り曲げ易いようにするために、蓋材の厚さの半分程に切れ目（ハーフカット）等を施した折曲線を設け、さらに内容物の抽出を容易にするために該軸線の中心にはピラミッド状等の突起を形成した構造としてある。
【０００３】
使用に際しては、該分配包装体を指間に挟み、その蓋の上記軸線を中心として該ポケット部の両側を圧するように蓋をＶ字型に折曲し、この蓋の折曲線上に設けた突起の破壊開口部から内容物を抽出するものであり、両側のポケットの異なる内容物をそれぞれの突起の開口部から抽出できるものも販売されている。
【０００４】
また、特開平１１−３０１７４６号公報（特許文献２）記載の分配包装体は、使用に際して、蓋をＶ字型に折曲げると、内容物は殆どの場合同時に、同分量が抽出されてしまうものを、抽出量が少なくてよい物、好みにより抽出したくない物、同時に抽出しては困る物、一方の物を使用後に他方の内容物を使用に供したい場合等に自在に内容物を選択して抽出できる分配包装体を提案して消費者から好評を得ている。さらに、内容物に具材が入っていても開口部から抽出が出来るように開口を広くした提案を特開２０１０−１２６２１６号公報（特許文献３）にて行なっている。
【先行技術文献】
【特許文献】
【０００５】
【特許文献１】特開昭６３−１６２４６０号公報
【特許文献２】特開平１１−３０１７４６号公報
【特許文献３】特開２０１０−１２６２１６号公報
【発明の概要】
【発明が解決しようとする課題】
【０００６】
しかし、両側のポケットの異なる内容物をそれぞれの突起の開口部から抽出できるものは細口で別々の２本線が描けるものであった。また、開口を広くした提案は広い開口により幅広に抽出することが出来るが内容物は１種類であった。
２種類の内容物を効率よく、しかも見た目も美しい線を描いたトッピングができる分配包装体が求められている。
【０００７】
本発明は、上記を考慮して、２種類の内容物を効率よく、線を描くことが出来る分配包装体を提供することを目的とする。
【課題を解決するための手段】
【０００８】
請求項１の分配包装体の発明は、表面の中央部に折り曲げ線を有する硬質材の蓋と、その蓋の表面に周縁部を固着され折曲線の両側にポケット部を形成する可撓性部材の容器体とからなり、それぞれのポケット部には蓋の折曲線上の開口となる突起部分へ通ずる連通部が交互に複数形成してあることを特徴としている。
【０００９】
したがって、折り曲げ線上に複数の開口が設けられており、折り曲げると内容物が交互に設けられた開口から抽出できる。
【００１０】
また、請求項２の発明は、請求項１に記載の分配包装体において、蓋の大きさの長辺は４センチから８センチであり、短辺は３センチから５センチであって、ポケットの開口となる突起は各ポケット用に交互に２つの突起であり、合計４つの突起が形成されており、これらの突起は開口となるポケットの蓋を補強する帯状（で開口するポケット上）に連続してなることを特徴としている。
【００１１】
したがって、折り曲げる蓋に補強が施されているのでハーフカットのなされた折り曲げ線上に開口を設けることができる。
【発明の効果】
【００１２】
請求項１に記載の発明によれば、蓋を折り曲げてその間隔を狭めることで、２種類の異なる内容物を混合させること無く、２種の内容物が交互の複数の線状に抽出させることが容易にできる。
したがって、従来の分配包装体では２回の動作が必要なのが、一度の動作で抽出が出来るのでより、トッピングが容易にできる。
【００１３】
また、請求項２に記載の発明によれば、請求項１に記載の発明の効果に加えて、使いやすい大きさ、即ち指で摘んで蓋を折り曲げるにあたり、適切な大きさとしており、その際の開口となる突起は両側のポケットに２ずつを交互の４つの突起が設けてある。
したがって、使いたい場所で手軽に使用できる分配包装体とすることができる。
これらにより、異なる内容物による線描きを効率よく、手軽にトッピングができるものである。
【図面の簡単な説明】
【００１４】
【図１】従来の分配包装体の斜視説明図である。
【図２】本発明の分配包装体の一実施形態の斜視説明図である。
【図３】本発明の分配包装体の一実施例のポケット側の平面説明図である。
【図４】本発明の分配包装体のその他の実施形態の斜視説明図である。
【図５】図２のＸ−Ｘ断面説明図である。
【発明を実施するための形態】
【００１５】
以下、図面を参照して、本発明の好ましい実施の形態について説明する
【実施例】
【００１６】
図１は従来の分配包装体を示したもので、ハーフカットを施した折り曲げ線上に略ピラミッド形状の突起が２ヶ成形されている。蓋の両側を指で挟んでＶ字に折り曲げるとピラミッドの尖端部３が開口されて両側のポケットの内容物が抽出されるものである。図２は本発明に係わる分配包装体の一実施例を斜視図で示したもので、図３は、ポケット側の平面図で各ポケット並びに連通部の内部構造示している。また、図５は連通部並びに突起の内部構造を説明する断面図である。
図４は図２に蓋の補強をさらに強固にした本発明のその他の実施例を表している。
【００１７】
図２に於いて、蓋１は合成樹脂（例えば、ポリスチレン等）の折曲げることができる程度の硬質材からなる蓋１であり、折り曲げると破断が生じる合成樹脂に後述の容器体５と加熱により溶着するシーラント層を積層してあると良い。また、この蓋１の表面には、略ピラミッド形状の突起Ｔが蓋１の裏側を凹ませて設けられており、これらの突起Ｔは、蓋１上の中央の軸線上にハーフカットを施して設けられた折曲線４と突起Ｔの尖端部３で交差し、折り曲げ線４と垂直方向に帯状である突起帯Ｔとしてあり、折り曲げの際の蓋１の強度を確保している。これらにより、ハーフカットが施されている折り曲げ線４に沿って折り曲げると容易に蓋１が破断し、その尖端部３に開口部を形成するように設けられている。
【００１８】
また容器体５は、その周縁部を蓋１の裏面に固着させ固着域２としたポリエチレン等の可撓性のあるシート部材、或いはポリエチレンとＥＶＯＨなどのバリア材とナイロンなどの積層シートからなる容器体５であって、容器体５は図３又は図５に図示のように蓋１の裏面にその周縁部を固着された周縁固着域２と折曲線４の近傍に波状に設けられた中央固着域とで、２つの異なるポケット部６Ａ、６Ｂを形成させるように容器体５の底部を膨らませて形成してある。
【００１９】
また、容器体５は、その異なるポケット部６Ａ、６Ｂを形成する際に、蓋１の折曲線４の近傍でそれぞれのポケット部６Ａ、６Ｂのそれぞれに通ずる連通部７Ａ、７Ｂが形成してあり、波状にすることでそれぞれ複数の連通部を設けることができる。そして連通部に対応して突起Ｔが設けられている。
【００２０】
尚、本実施例では、突起Ｔ並びに突起帯と説明をしているが、略ピラミット形状の突起に帯状体Ｋが合体した構造である。
突起Ｔはハーフカットの折り曲げ線で開口を作るものであり、帯状体Ｋは蓋１の折曲時の補強乃至デザイン上の目的である。そこで突起Ｔであって帯状体Ｋを表す場合は突起帯Ｔともいう。
【００２１】
そして、本実施例では、蓋１の表面のハーフカットを設けた折曲線４上の連通部７Ａ、７Ｂと交差する部分を上方に突出させそれぞれ突起帯Ｔとして形成してある。この突起帯Ｔは蓋１の折曲線により破断して開口が得やすいように形成してある。このような構造からなる分配包装体Ｑのポケット部６Ａ、６Ｂには適宜の方法により、ペースト状内容物Ａ、Ｂをそれぞれ封入しておく。
【００２２】
分配包装体Ｑは、以上の構成からなるので、使用前にあっては、ポケット部６Ａ、６Ｂに収容してある内容物Ａ及びＢは、蓋１の裏面と容器体５の上面とを全て固着した固着域２の部分で完全に密封されているので、２つのポケット部６Ａ、６Ｂ間を自由に移動することがない。そこで使用に際しては、蓋１の両端を折曲線４を中心として指でつまみ、ポケット部６Ａ、６Ｂを互いに引き寄せるようにＶ字形に折曲げると、蓋１は尖端部３から破断し、その破断され開口した尖端部３から内容物Ａが連通部７Ａを経て抽出されると同様に内容物Ｂが連通部７Ｂを経て抽出される。
連通部７Ａ、７Ｂは２組ずつが交互に設置されているので抽出方法は内容物がＡＢＡＢと並んで線状に抽出させることが可能になる。
【００２３】
さらにその他の実施例の図４に示したように突起Ｔの突起帯の尖端部３の先には帯状体Ｋが突起帯と同様に設けられている。帯状体Ｋは突起帯Ｔで説明したように蓋１の折り曲げ時の補強並びにデザインである。
［第２実施形態］
【００２４】
図２乃至図４に示す分配包装体は長辺は４センチから８センチとすると片手の指にてＶ字状に折り曲げることが容易とできる。短辺は長辺とのバランスから３センチから５センチに設計すると良く、ポケット６Ａ，６Ｂの深さは長辺の半分以下とする必要がある。これはＶ字状に折り曲げた際にポケット６Ａ，６Ｂが蓋１で押しつぶすことができなくなる理由からである。
上記の範囲で内容量並びに使用目的に則した形状をデザインすることが望ましい。
また、内容物Ａ，Ｂは食品であれば、ペースト状乃至粘稠物であると盛付けのデザインを楽しむこともできるものである。
【００２５】
例えばドレッシングの赤と白の組み合わせ、或いはポン酢ジュレと柚子ジュレの組み合わせ、
さらにマヨネーズの異なる味の組み合わせでマヨネーズと辛子マヨネーズやマヨネーズと明太子マヨネーズなどが提案でき、コンビニで好評のトマトケッチャプとマスタードの組み合わせなどもある。
また、パンに使用する黒チョコレートとバナナチョコレート、チョコレートとイチゴジャム、チョコレートとピーナッツペーストの組み合わせ、さらには、お好み焼きのソースとマヨネーズ、夏場のカキ氷用の練乳とシロップなど幅広い用途がある。
【００２６】
非食品としては、混合させずに圧着時に接触させる２液の接着剤など２液を均等に塗布することができる。
【符号の説明】
【００２７】
Ｑ．分配包装体
１. 蓋
Ｔ．突起（突起帯）
Ｋ．帯状体
２．固着域
３．尖端部
４．折曲線（ハーフカット）
５．容器体
６Ａ. ポケット部
６Ｂ．ポケット部
７Ａ．連通部
７Ｂ．連通部
Ａ．内容物
Ｂ.  内容物
【図１】
2013184716.tif 000003
【図２】
2013184716.tif 000004
【図３】
2013184716.tif 000005
【図４】
2013184716.tif 000006
【図５】
2013184716.tif 000007